(57)【特許請求の範囲】
【請求項１】
アプリケーションの起動を引き起こす操作である起動トリガを検出する検出部と、
アプリケーションと、該アプリケーションの動作に起因する電磁雑音の情報と、該電磁雑音の影響が及ぶ周波数帯域との対応関係を示すリストを記憶するメモリ部と、
前記検出部が前記起動トリガを検出したことに応答して、無線チャネルの通信品質の測定値を、前記電磁雑音の情報にしたがって修正することで、想定通信品質を算出する算出部と、
前記想定通信品質が切断閾値以上であった場合は該想定通信品質をネットワークに報告し、前記想定通信品質が前記切断閾値未満であった場合は前記切断閾値以上の値に修正された想定通信品質を前記ネットワークに報告する報告部と
を有する無線通信端末。
【請求項２】
当該無線通信端末により使用される周波数帯域が前記リストに含まれていた場合、又は無線チャネルの通信品質測定値が所定の変更閾値未満であった場合の少なくとも一方を満たす場合に、前記検出部は、前記起動トリガの検出を行う、請求項１記載の無線通信端末。
【請求項３】
選択的に起動されるアプリケーションを搭載した無線通信端末が実行する処理方法であって、
前記アプリケーションの起動を引き起こす操作である起動トリガを検出する検出ステップと、
前記起動トリガが検出されたことに応答して、アプリケーションと、該アプリケーションの動作に起因する電磁雑音の情報と、該電磁雑音の影響が及ぶ周波数帯域との対応関係を示すリストにしたがって、無線チャネルの通信品質測定値を修正することで、想定通信品質を算出する算出ステップと、
前記想定通信品質が切断閾値以上であった場合は該想定通信品質をネットワークに報告し、前記想定通信品質が前記切断閾値未満であった場合は前記切断閾値以上の値に修正された想定通信品質を前記ネットワークに報告する報告ステップと
を有する処理方法。
【請求項４】
前記無線通信端末により使用される周波数帯域が前記リストに含まれていた場合、又は無線チャネルの通信品質測定値が所定の変更閾値未満であった場合の少なくとも一方を満たす場合に、前記検出ステップにおいて前記起動トリガを検出する、請求項３記載の処理方法。
【発明の詳細な説明】
【技術分野】
【０００１】
本発明は、移動通信の技術分野に関し、特に無線通信端末及び無線通信端末において使用される方法に関連する。
【背景技術】
【０００２】
近年の移動無線端末は、本来の通信機能以外のサブシステムやアプリケーションを備えている。移動通信端末の処理能力が高くなるにつれて、例えばCPUの動作速度が速い場合、アプリケーションの動作に起因して発生する電磁雑音を無視することはできない。電磁雑音が通信システムの受信周波数帯域内の成分を有する場合、移動無線端末の感度は大きく低下し、良好な通信環境を保てなくなってしまうからである。
【０００３】
従来、移動無線端末内部の電磁雑音の影響を回避するため、与干渉又は被干渉となる部位を遮蔽するシールド処理が行われている。この場合、発生する電磁雑音量が増加するにつれて、シールド処理も強化しなくてはならず、しかも最悪動作条件を見込んだ対策が必要になる。このため、シールド処理や端末が著しく複雑化するおそれがある。
【０００４】
また、電磁雑音対策として干渉源システムの動作周波数（クロック周波数）を調整することも考えられる。この動作周波数の調整により発生する電磁雑音の周波数をシフトさせ効果的に干渉影響を抑制することができる。しかしながら、移動通信端末が様々なアプリケーションやサブシステムを搭載すること等に起因して、電磁雑音の抑制に効果的なクロック調整は困難になることがある。例えば、あるシステムのために動作周波数を調整すると、別のシステムに障害を与えてしまうことになり、全てのシステムに適切な調整先の周波数が見つからない場合が懸念される。
【０００５】
他方、基地局の送信電力とパスロスを監視しながら周波数を選択するシステムにおいて、電磁雑音の発生が急峻であった場合、ネットワーク側が適切に追従できないことも懸念される。例えば、ワイドバンド符号分割多重アクセス（WCDMA）方式のシステムの場合、感度が良好な環境から急峻に感度が劣化すると、隣接チャネルや他キャリア周波数のサーチを事前に行えず、ハンドオーバに時間を要するケースが生じる可能性がある。
【０００６】
このように、携帯電話等の移動無線端末において、受信周波数帯域に電磁雑音成分が発生すると、移動無線端末の受信感度が低下し、通信品質の低下や通信可能エリアの縮小化を招くことが懸念される。この種の問題は、移動無線端末の小型薄型化やアプリケーションの高機能化等に伴ってますます重要になりつつある。
【０００７】
特許文献１に記載の発明では、基地局装置が、端末装置からの信号強度を監視し、基地局装置内部の電磁雑音影響が少ない無線チャネルを端末装置に割り当てようとしている。当該手法の場合、端末個別の動作状態に応じた急峻な感度低下を事前に把握できず、端末内部の電磁干渉発生前にハンドオーバを促すことができないため、適切な無線チャネルで動作できるようになるまでの時間が、長期化するおそれがある。
【先行技術文献】
【特許文献】
【０００８】
【特許文献１】特開２００５−２７７４８７号公報
【発明の概要】
【発明が解決しようとする課題】
【０００９】
本発明の課題は、選択的に起動されるソフトウェアアプリケーションやサブシステム機能（カメラや音楽，動画再生機能等）を搭載した無線通信端末において、これらのアプリケーションの動作に起因する電磁雑音が、無線通信端末の感度に及ぼす影響を少なくとも軽減することである。
【課題を解決するための手段】
【００１０】
本発明の一形態による無線通信端末は、
アプリケーション（ソフトウェアアプリケーションやサブシステム機能）の起動を引き起こす操作である起動トリガを検出する検出部と、
アプリケーションと、該アプリケーションの動作に起因する電磁雑音の情報と、該電磁雑音の影響が及ぶ周波数帯域との対応関係を示すリストを記憶するメモリ部と、
前記検出部が前記起動トリガを検出したことに応答して、無線チャネルの通信品質の測定値を、前記電磁雑音の情報にしたがって修正することで、想定通信品質を算出する算出部と、
前記想定通信品質が切断閾値以上であった場合は該想定通信品質をネットワークに報告し、前記想定通信品質が前記切断閾値未満であった場合は前記切断閾値以上の値に修正された想定通信品質を前記ネットワークに報告する報告部と
を有する無線通信端末である。
【発明の効果】
【００１１】
本発明の一形態によれば、選択的に起動されるアプリケーションを搭載した無線通信端末において、アプリケーション動作に起因する電磁雑音が、無線通信端末の感度に及ぼす影響を少なくとも軽減することができる。
【図面の簡単な説明】
【００１２】
【図１】本発明の実施例で使用される移動無線端末及びネットワーク装置を示す図。
【図２】図１のリスト格納メモリ部１１に格納されるリストを示す図。
【図３】本発明の実施例による第１の動作例を示すフローチャート。
【図４】本発明の実施例による第２の動作例を示すフローチャート。
【図５】本発明の実施例による第３の動作例を示すフローチャート。
【図６】本発明の実施例による第４の動作例を示すフローチャート。
【図７】本発明の実施例による第５の動作例を示すフローチャート。
【発明を実施するための形態】
【００１３】
本発明の一形態によれば、選択的に起動されるソフトウエアアプリケーションやサブシステム機能（カメラ撮影、音楽再生、映像視聴等）を搭載した無線通信端末が使用される。無線通信端末は、これらのアプリケーションの起動を引き起こす操作である起動トリガ（所定の順序で行われるメニュー選択操作等）を検出する検出部１３を有する。無線通信端末は、アプリケーションと、該アプリケーションの動作に起因する電磁雑音の情報（劣化／ノイズレベル）と、該電磁雑音の影響が及ぶ周波数帯域（バンド,チャネル）との対応関係を示すリスト（第２図）を記憶するメモリ部１１を有する。無線通信端末は、検出部１３が起動トリガを検出したことに応答して、無線チャネルの通信品質測定値（Ec/N0）を、電磁雑音の情報にしたがって修正することで、ネットワークに報告する想定通信品質（Ec/N0−Δ，Ec/N0ap）を算出する算出部１４を有する。
【００１４】
電磁雑音の情報にしたがって修正された想定通信品質（Ec/N0−Δ，Ec/N0ap）をネットワーク機能部に報告するので、無線通信端末は、通信品質Ec/N0をそのまま報告する場合よりも、周波数遷移の指示を受けやすくなる。無線通信端末は、電磁雑音の影響を受けにくい遷移後の周波数において、アプリケーションを起動しながら良好に通信を行うことができる。このように、本無線通信端末は、特定のアプリケーションと、その動作時に電磁雑音の影響を受ける周波数との組み合わせを確認し、アプリケーションの動作時に干渉を被る周波数以外の周波数が通信に使用されることを促す。さらに、無線通信端末が想定通信品質を送信することで、周波数遷移が促されるので、アプリケーションを起動しつつある無線通信端末は、速やかに、遷移後の無線チャネルにおいて動作できるようになる。
【００１５】
無線通信端末により使用されている周波数帯域が前記リストに含まれていない場合、又は無線チャネルの通信品質測定値がアプリケーション起動によっても所定の変更閾値未満にならないと想定される場合に、前記検出部１３は、前記起動トリガの検出を行わなくて良い。これは、周波数遷移を促す処理を無線通信端末が過不足無く行う等の観点、電力消費の観点から好ましい。
【００１６】
無線通信端末は、前記想定通信品質を前記ネットワークに報告する報告部１５を備えている。前記想定通信品質が所定の切断閾値未満であった場合、前記報告部１５は、前記切断閾値以上の値に修正された想定通信品質を前記ネットワークに報告してもよい。これは、不本意な通信の切断を回避する等の観点から好ましい。
【００１７】
以下の観点から本発明の実施例を説明する。
【００１８】
Ａ．移動無線端末及びネットワーク装置
Ｂ．リスト
Ｃ．動作例１
Ｄ．動作例２
Ｅ．動作例３
Ｆ．動作例４
Ｇ．動作例５
Ｈ．変形例
【実施例１】
【００１９】
＜Ａ．移動無線端末及びネットワーク装置＞
図１は、本発明の実施例で使用される移動無線端末及びネットワーク装置を示す。移動無線端末は、選択的に起動される１つ以上のソフトウェアアプリケーションやサブシステム機能を搭載しており、これらのアプリケーションが動作している間、電磁雑音が発生する。電磁雑音は、一般に、DSPやCPU等のディジタル回路が動作することで発生する高周波ノイズである。本実施例で対象とする電磁雑音は、移動通信端末が、本来の通信機能以外のアプリケーションを動作させることで発生する電磁雑音である。移動無線端末は、電磁雑音の影響を受けるが、本実施例は、以下に説明されるようにして電磁雑音の影響を回避する。移動無線端末は典型的には携帯電話であるが、パーソナルディジタルアシスタント（PDA）、携帯型コンピュータ、無線モジュールその他の適切な如何なる移動機でもよい。例えば、無線モジュールは車載モジュールでもよい。或いは無線モジュールは、自動販売機に搭載された移動機であって、商品選択時のボタン押下に起因してアプリケーションが起動された場合に、それに応じて発生した電磁雑音の影響を受けるような移動機でもよい。
【００２０】
移動無線端末及びネットワーク機能部は、本来の通信機能を実現する要素（図示せず）だけでなく、図示のような本実施例に特に関連する機能要素を備えている。移動通信端末は、リスト格納メモリ部１１、利用周波数及び信号品質検出部１２、アプリケーション起動トリガ検出部１３、想定通信品質計算部１４及びネットワーク（NW）報告部１５を有する。
【００２１】
リスト格納メモリ部１１は、アプリケーションの動作時に影響を受ける周波数帯域（バンド,チャネル）と、アプリケーションそれぞれの動作が及ぼす影響レベルのリストを格納する。すなわち、リストは、ソフトウエアアプリケーションと、該ソフトウエアアプリケーションの動作に起因する電磁雑音の情報と、該電磁雑音の影響が及ぶ周波数帯域との対応関係を示す。リストの詳細については後述されるが、リストは、リスト格納メモリ部１１に出荷時に既に格納されていてもよいし、出荷後に格納されてもよい。例えば、リストは、ネットワーク（NW）からプッシュプルによりダウンロードされてもよい。
【００２２】
アプリケーションは、移動無線端末に備わっている適切な如何なるアプリケーションでもよく、例えば、カメラ撮影、静止画閲覧、動画閲覧、音楽再生、文書編集、スケジュール管理等を可能にするソフトウエアアプリケーションを含むが、これらに限定されない。
【００２３】
利用周波数及び信号品質検出部１２は、無線通信に利用されている周波数帯域が何であるかを判定することに加えて、無線通信における信号の信号品質を監視する。信号品質は、当該技術分野で既知の適切な如何なる量で表現されてもよい。例えばS/N、Ec/N0、SIR、CQI、受信電力、電界強度RSSI、希望波受信電力RSCP、パスロス等により表現されてもよい。
【００２４】
アプリケーション起動トリガ検出部１３は、アプリケーションの起動を引き起こす操作である起動トリガを監視及び検出する。例えば、カメラ撮影のアプリケーションの場合、起動トリガは、移動無線端末のメニュー画面を選択した後に、カメラ撮影モード動作の選択肢を表示させ、その選択肢を選択したこと、として定義されてもよい。
【００２５】
想定通信品質計算部１４は、仮にアプリケーションの動作が開始された後、現在の通信品質がどの程度劣化するかを計算することで、想定通信品質を導出する。想定通信品質は、現在の無線チャネルの通信品質測定値（例えば、Ec/N0）を、ある劣化レベル（Δ）だけ修正することで算出されてもよい（Ec/N0−Δ）。劣化レベルは、リストの「電磁雑音の情報」に基づいて導出される。或いは、想定通信品質は、現在の無線チャネルの通信品質測定値（Ec/N0＝RSCP/RSSI）と、予想される電磁雑音レベル（N(ap)）に基づいて算出されてもよい。後述されるように、想定通信品質が、所定の切断閾値を下回る場合、想定通信品質は、所定の切断閾値以上に修正されてもよい。
【００２６】
ネットワーク（NW）報告部１５は、想定通信品質計算部１４により計算された想定通信品質を、無線基地局に無線送信することでネットワーク機能部に報告する。無線チャネルの通信品質測定値は、所定の頻度で移動無線端末からネットワーク機能部に報告されている。本実施例の場合、通信品質測定値の正規の報告とは別に、アプリケーション起動トリガに応じて想定通信品質がネットワーク機能部に報告される。
【００２７】
ネットワーク機能部は、移動無線端末と無線通信を行う基地局装置でもよいし、１つ以上の基地局装置を制御する装置でもよい。ネットワーク機能部は、想定通信品質受信部２１及び割り当て周波数選択部２２を有する。
【００２８】
想定通信品質受信部２１は、移動無線端末から報告される想定信号品質を受信する。ネットワーク機能部は、通信品質測定値の正規の報告とは別に、移動無線端末のアプリケーション起動トリガに応じて想定通信品質の報告も受ける。
【００２９】
割り当て周波数選択部２２は、移動無線端末から受信した通信品質又は想定通信品質に基づいて、移動無線端末が通信に使用すべき無線リソースを決定する。無線リソースは、使用される通信システムに依存して、適切な如何なる事項で特定されてもよい。例えば、無線リソースは、周波数帯域（バンド）、バンド内のチャネル、拡散符号、タイムスロット、データ変調方式、チャネル符号化率、送信電力等の事項で特定されてもよい。
【００３０】
無線通信における利用周波数は地域や通信システムに応じ周波数帯域（バンド）やチャネルが複数規定されている。移動無線端末は、何れかのバンドとその中のチャネルを使用して通信を行う。例えば、WCDMAシステムの第６バンドである800MHz帯（BAND  VI）中に5MHz帯域幅のチャネルが２つ含まれており、割り当て周波数選択部２２は、何れかのチャネルを移動無線端末に割り当てる。割り当て周波数選択部２２は、移動無線端末から報告された通信品質又は想定通信品質の良否及びセルの実情に基づいて、その移動無線端末のバンド及び／又はチャネルを決定する。例えば、移動無線端末から報告された品質が、所定の変更閾値未満であった場合、割り当て周波数選択部２２は、移動無線端末のバンド及びチャネルの双方又は一方を変更する決定を行う。決定内容は移動無線端末に通知され、移動無線端末は、決定内容に応じてバンド及び／又はチャネルを変更し、変更後の環境で良好な通信を行うことができる。この場合において、割り当て周波数選択部２２は、正規の周期で報告された通信品質測定値と、アプリケーション起動トリガに応じて報告された想定通信品質とを区別しなくてよいことに留意を要する。
【００３１】
＜Ｂ．リスト＞
図２は、図１に示されるリスト格納メモリ部１１に格納されるリストを示す。リストの左列は、移動無線端末に搭載され必要に応じて起動されるアプリケーションを示す。リストの中央列は、アプリケーションが起動されたことで発生する電磁雑音が、影響を及ぼす周波数帯域（バンド）及びチャネルを示す。リストの右列は、電磁雑音の情報を示す。
【００３２】
電磁雑音の情報は、通信品質を表す指標に応じて如何なる量で表現されてもよい。移動無線端末からネットワーク機能部へ報告する通信品質は、Ec/N0やCQI等のように、雑音の影響を含めた無線性能評価指標で表現されることが望ましい。しかしながら、その指標は通信システムの形態により適宜変更されてもよい。電磁雑音の情報は、アプリケーション起動により生じる電磁雑音レベルN（ap）として表現されてもよいし、或いは、電磁雑音レベルN（ap）に対応する劣化レベルΔにより表現されてもよい。劣化レベルΔは、発生した電磁雑音に起因して通信品質がどの程度劣化するかを示す量であり、劣化レベルΔと電磁雑音レベルN（ap）との対応関係は、事前に測定しておくことが可能である。
【００３３】
図示の表の第１行は、カメラ撮影を行う場合、第６バンドの第１チャネル（例えば、830MHz〜835MHzの帯域）に電磁雑音が発生し、その電磁雑音はXYdBmの大きさを有し、通信品質はXXdBm劣化することを示す。また、第２行は、音楽を再生しながら映像を閲覧する場合、第６バンドの第１チャネル及び第２チャネル双方に電磁雑音が発生し、その電磁雑音はYXdBmの大きさを有し、通信品質はYYdBm劣化することを示す。図示のアプリケーションは一例にすぎず、移動無線端末に搭載される様々なアプリケーションについて、影響の及ぶ周波数及び劣化レベル等が規定されてよい。
【００３４】
リストは、アプリケーション起動時に、各バンドの各チャネルで通信品質がどの程度劣化するかを実際に測定することで（すなわち、無線評価を行うことで）作成されてもよい。上述したように、通信品質は適切な如何なる量で表現されてもよいが、本実施例では、Ec/N0が使用される。具体的には、WCDMAシステムにおける暗室の環境下において、Ec/N0およびCPICH-RSCP（共通パイロットチャネルの受信電力）を評価し、所定の数式を利用して電磁雑音レベルを導出することで、リストが作成される。評価はアンテナ経由の雑音影響も考慮するため無線環境で行われる。アプリケーションの起動の前後でそれぞれの測定結果と以下の式（1）及び（2）を用いて、アプリケーションの起動による電磁雑音レベルN（ap）が導出される。
【００３５】
Ec/N0＝  RSCP／RSSI・・・・・・・・・・・・・・・・・・・・・（1）
N（ap）＝  RSSIap  −  RSSI
＝  RSCP/（Ec/N0ap）−RSCP/（Ec/N0）
＝  RSCP×（（Ec/N0ap）-1−(Ec/N0)-１）
＝  RSCP×（Ec/N0−Ec/N0ap）／（Ec/N0ap×Ec/N0）  ・・・・・（2）
それぞれの記号の意味は以下のとおりである。
【００３６】
RSCP（CPICH-RSCP）：制御チャネルの受信電力
RSSI：アプリケーションを起動していない場合における帯域内受信電力
RSSIap：アプリケーションを起動している場合における帯域内受信電力
Ec/N0：アプリケーションを起動していない場合における、制御チャネル信号の受信品質（通信品質）
Ec/N0ap：アプリケーションを起動している場合における、制御チャネル信号の受信品質（通信品質）。
【００３７】
図２の第２行に示されているように、リストは、アプリケーションの１つ１つについて規定されるだけでなく、複数のアプリケーションの組み合わせについて規定されてもよい。上述したように、アプリケーションを動作させると電磁雑音が発生する。電磁雑音は、アプリケーションが使用するDSPやCPU，その他回路の動作に応じた異なる周波数を有する。したがって、複数のアプリケーションが起動される場合、それぞれから電磁雑音が発生し、それらが合成される。この場合、個々の電磁雑音だけでなく、周波数ミキシング効果に起因して、個々の電磁雑音周波数同士の和や差の周波数の雑音が発生するおそれがある。このような高調波等の影響にも対処する観点からは、図２の第２行のように、ソフトウエアアプリケーションの組み合わせについても、影響の及ぶ周波数や劣化レベルをリストに含めておくことが望ましい。
【００３８】
＜Ｃ．動作例１＞
図３は、本実施例による第１の動作例のフローチャートを示す。動作フローの大半は、移動無線端末において行われ、ステップS17は移動無線端末及びネットワーク機能部により行われる。移動無線端末は、例えば周波数バンドVIのような800MHz帯の周波数バンドにおける5MHz幅のチャネルを利用して通信を行う。周波数バンド及びチャネルには複数の選択肢があり、移動無線端末は、ネットワーク機能部により許可された周波数バンド及びチャネルを用いて通信を行う。動作フローは、移動無線端末が通信を開始するステップS11から始まる。
【００３９】
ステップS12において、移動無線端末は、リスト格納メモリ部１１にリスト（第２図）を読み込む。リストは、リスト格納メモリ部１１に出荷時に既に格納されていてもよいし、出荷後に格納されてもよい。本実施例では後者のように、出荷後に、例えばプッシュプルによりダウンロードすることで、リストがリスト格納メモリ部１１に格納される。
【００４０】
ステップS13において、移動無線端末（アプリケーション起動トリガ検出部１３）は、所定のアプリケーションの起動を引き起こす操作である起動トリガを監視する。起動トリガの監視は、ステップS14において、起動トリガが発見されるまで続けられる。
【００４１】
ステップS15では、起動トリガの発見に応答して、現在の通信品質の測定値（Ec/N0）に劣化レベル（−Δ）を加え、アプリケーションを起動した場合に予想される通信品質（想定通信品質）を計算する。この計算は、想定通信品質計算部１４により行われる。劣化レベルはリストから導出可能である。この場合、想定通信品質は、
（Ec/N0）−Δ
として導出される。
【００４２】
或いは、現在の通信品質の測定値（Ec/N0＝RSCP/RSSI）と、ソフトウエアアプリケーションを起動した場合に発生する電磁雑音レベルN（ap）とを利用して、想定通信品質が導出されてもよい。例えば、アプリケーションを起動した場合に予想される想定通信品質Ec/N0apは、以下の式（3）により導出されてもよい。
【００４３】
Ec/N0ap＝  RSCP/RSSIap
＝  RSCP/（RSSI  ＋  N（ap））・・・・・・・・・・・・・（3）
それぞれの記号の意味は以下のとおりである。
【００４４】
RSCP（CPICH-RSCP）：制御チャネルの受信電力
RSSI：アプリケーションを起動していない場合における帯域内受信電力
RSSIap：アプリケーションを起動している場合における帯域内受信電力
N（ap）：アプリケーションを起動したことで発生する電磁雑音レベル。
【００４５】
ステップS16において、移動無線端末（NW報告部１５）は、算出した想定通信品質をネットワーク機能部に報告する。
【００４６】
ステップS17において、ネットワーク機能部（割り当て周波数選択部２２）は、想定通信品質に基づいて、移動無線端末に相応しい周波数バンド及び／又はチャネルを決定し、それらの変更を要する場合、決定内容を移動無線端末に通知する。移動無線端末は、決定内容にしたがって、周波数バンド及び／又はチャネルを変更し、その後、アプリケーションを動作させながら通信を行う。アプリケーションはステップS17の後に起動されることが望ましい。したがって、ステップS14からステップS17までの間に要する時間は、ユーザの体感時間としてはかなり短いことに留意を要する。アプリケーションは、周波数バンド及び／又はチャネルの変更後速やかに起動されてもよいし、タイマの満了後に起動されてもよい。さらに、ソフトウエアアプリケーションの起動が、ステップS17の変更前に行われることが許容されてもよい。
【００４７】
なお、複数のアプリケーションの組み合わせが使用される場合、リストに組み合わせが規定されていれば、規定された内容にしたがってステップS15の想定通信品質が算出される。リストに組み合わせは規定されていないが、個々のソフトウエアアプリケーションについては規定されていた場合、個々のアプリケーションの雑音レベル又は劣化レベルを合計することで、ステップS15の想定通信品質が算出されてもよい。或いは、リストに組み合わせが規定されていなかった場合、ステップS15の想定通信品質は導出されなくてもよい。
【００４８】
このように本動作例によれば、アプリケーションが起動する前に、本来の通信品質（Ec/N0）よりも悪い想定通信品質（Ec/N0ap）が、移動無線端末からネットワーク機能部に報告される。その結果、アプリケーションを起動しようとしている移動無線端末は、周波数遷移の指示を受けやすくなる。これは、移動無線端末が、電磁雑音の影響が少ない周波数バンド及び／又はチャネルにおいて、アプリケーションを動作させつつ、良好な感度で通信を行う観点から好ましい。
【００４９】
＜Ｄ．動作例２＞
図４は、本実施例による第２の動作例のフローチャートを示す。概して図３のフローチャートと同様であるが、ステップS21及びS22に関する動作が異なる。
【００５０】
ステップS21において、利用周波数及び信号品質検出部１２により、移動無線端末が現在利用している周波数が監視される。
【００５１】
ステップS22において、現在利用している周波数が、リストに規定されているか否かが確認される。すなわち、現在利用している周波数が、第２図のリストの「周波数」の列に規定されているか否かが確認される。現在利用している周波数が、何らかの電磁雑音の影響を受ける周波数に該当する場合、動作フローはステップS13に進む。現在利用している周波数が、アプリケーションによる電磁雑音の影響を受ける周波数に該当しない場合、動作フローはステップS21に戻る。この動作は、利用周波数及び信号品質検出部１２により行われてもよいし、アプリケーション起動トリガ検出部１３により行われてもよい。
【００５２】
ステップS13以降の動作は、説明済みの動作と同様である。本動作例の場合、移動無線端末が、リストに規定されている周波数を使用していなかった場合、アプリケーションの起動トリガの監視、想定通信品質の算出及び報告、ならびに周波数変更は行われない。移動無線端末が、リストに規定されている周波数を使用していた場合に限り、すなわち移動無線端末の感度劣化が生じるおそれのある状況に限り、起動トリガの監視等が行われる。これは、移動無線端末における処理を過不足無く行う観点から好ましい。
【００５３】
＜Ｅ．動作例３＞
図５は、本実施例による第３の動作例のフローチャートを示す。概して図３のフローチャートと同様であるが、ステップS31及びS32に関する動作が異なる。
【００５４】
ステップS31において、利用周波数及び信号品質検出部１２により、移動無線端末の通信品質が監視される。この通信品質の監視は、定期的に行われてもよいし、不定期的に必要に応じて行われてもよい。
【００５５】
ステップS32において、通信品質の良否が確認される。具体的には、測定された通信品質が所定の閾値と比較され、閾値を上回るほど良かった場合、動作フローはステップS31に戻る。測定された通信品質が所定の閾値に満たないほど悪かった場合、動作フローはステップS13に進む。ステップS13以降の動作は、説明済みの動作と同様である。
【００５６】
通信品質が閾値よりも良かった場合、ソフトウエアアプリケーションの起動により感度劣化が生じたとしても、移動無線端末は通信を適切に行うことができる。したがってこの場合、周波数の変更は必須ではない。これに対して、通信品質が閾値よりも悪かった場合、ソフトウエアアプリケーションの起動により感度劣化が生じると、通信を適切に行えなくなることが懸念される。本動作例では、このような場合に限定して、ステップS13以降の動作が行われる。これも、移動無線端末における処理を過不足無く行う観点から好ましい。
【００５７】
＜Ｆ．動作例４＞
図６は、本実施例による第４の動作例のフローチャートを示す。概して図３のフローチャートと同様であるが、ステップS41に関する動作が異なる。
【００５８】
ステップS41では、ステップS15で算出された想定通信品質が、所定の閾値未満であるか否かが確認される。想定通信品質が閾値未満でなかった場合（閾値よりも良かった場合）、フローはステップS13に戻る。想定通信品質が閾値未満であった場合（閾値よりも悪かった場合）、フローはステップS16に進み、その想定通信品質がネットワーク機能部に報告される。閾値は、ネットワークのセル設計や、移動無線端末のEc/N0限界レベル等を考慮して定められてもよい。
【００５９】
例えば想定通信品質が閾値より良い場合、そのアプリケーションが起動されたとしても、予想される感度劣化は小さく、移動無線端末は通信を適切に行うことができる。この場合、想定通信品質の報告や周波数変更は必須でない。想定通信品質が閾値より悪かった場合、そのアプリケーションが起動されると、大きな感度劣化が生じ、移動無線端末は通信を適切に行えなくなってしまうことが懸念される。このような場合に限定して、想定通信品質の報告や周波数変更が行われる。これは、上り無線リソースの節約及び処理を過不足無く行う観点から好ましい。
【００６０】
＜Ｇ．動作例５＞
図７は、本実施例による第５の動作例のフローチャートを示す。概して図３のフローチャートと同様であるが、ステップS51、S52及びS53に関する動作が異なる。
【００６１】
ステップS51では、ステップS15で算出された想定通信品質が、所定の変更閾値未満であるか否かが確認される。想定通信品質が変更閾値未満でなかった場合（変更閾値よりも良かった場合）、フローはステップS13に戻る。想定通信品質が変更閾値未満であった場合（変更閾値よりも悪かった場合）、フローはステップS52に進む。
【００６２】
ステップS52では、変更閾値未満の想定通信品質が、所定の切断閾値未満であるか否かが確認される。想定通信品質が切断閾値未満でなかった場合（切断閾値よりも良かった場合）、フローはステップS16に進む。ステップS16では、想定通信品質がネットワーク機能部に報告される。
【００６３】
想定通信品質が切断閾値未満であった場合（切断閾値よりも悪かった場合）、フローはステップS53に進む。
【００６４】
ステップS53では、ステップS15で算出された想定通信品質が、切断閾値以上に良い値（例えば、周波数サーチを開始する閾値の品質）に修正され、修正後の想定通信品質がネットワーク機能部に報告される。
【００６５】
ステップS17では、ステップS16又はステップS53により報告された想定通信品質に基づいて、ネットワーク機能部が必要に応じて移動無線端末の周波数を変更する。
【００６６】
本動作例において、切断閾値は、変更閾値よりも品質の悪い値を有する。より具体的には、切断閾値は、移動無線端末の接続を維持するには相応しくない、とネットワーク機能部が判断する程度に悪い品質を表す。ステップS15で算出された想定通信品質が、この切断閾値より悪かった場合、その想定通信品質の報告を受けたネットワーク機能部は、移動無線端末に対する接続を切断する、或いは、移動無線端末に対する無線リソースの割り当てを留保するかもしれない。その結果、移動無線端末は通信を行えなくなってしまうことが懸念される。これを回避するため、本動作例ではステップS53により、低品質すぎる想定通信品質は、切断閾値以上良い値（例えば、切断閾値プラス１dB良い値）に修正される。これにより、不本意な切断の指示を受けにくくなるとともに、周波数遷移の指示を受けやすくなる。
【００６７】
＜Ｈ．変形例＞
上記の動作例１ないし５は、それぞれ別個に使用されてもよいし、２つ以上が組み合わせて使用されてもよい。例えば、動作例２及び３を組み合わせることで、（a）リストに規定されている被干渉周波数を使用している場合であって、かつ（b）通信品質が良好でない場合に限って、ステップS13の起動トリガの検出が行われるようにしてもよい。これは、移動無線端末の処理を無駄に行わないようにする等の観点から好ましい。
【００６８】
本発明は、利用可能な無線リソースに選択肢が存在する適切な如何なる通信システムに適用されてもよい。例えば本発明は、CDMAシステムだけでなく、HSDPA/HSUPA方式のW-CDMAシステム、LTE方式のシステム、IMT-Advancedシステム、WiMAX、Wi-Fi方式のシステム等に適用されてもよい。  
上記の説明では、移動無線端末が、周波数バンド及び／又はチャネルを使用することを前提とし、ステップS17において周波数が変更された。例えば5MHzの帯域幅のチャネルの選択肢が２つ存在し、何れかを選択することが考えられた。別の例としては、例えば5MHzの帯域幅の周波数帯域に数十個のリソースブロックが含まれ、１つ以上のリソースブロックを利用して通信を行うシステムが考えられる。リソースブロックの割り当ては、移動無線端末から報告されるCQI（チャネル品質インジケータ）に基づいて、基地局装置による周波数スケジューリングにより行われる。リソースブロックのCQIを報告する際、上記の想定通信品質に相当するCQIを基地局装置に報告することで、電磁雑音の影響が少ないリソースブロックが、移動無線端末に割り当てられやすくなる。
【００６９】
一方、周波数を変更することに加えて又はその代わりに、データ変調方式や、チャネル符号化率が変更されてもよい。例えば、ソフトウエアアプリケーションを起動することで、移動無線端末の感度劣化が予想される場合、起動後の通信に使用されるデータ変調方式を、低スループットのものに変更することが考えられる。例えば、ソフトウエアアプリケーションの起動前は64QAM方式が使用されていたが、起動後は16QAM方式が使用されるようにしてもよい。或いは、起動後に、より小さなチャネル符号化率を使用するようにしてもよい。いずれにせよ、アプリケーションの起動後に、スループットを低くすることで尤度又は確からしさを増やし、感度劣化を相殺するようにしてもよい。
【００７０】
以上本発明は特定の実施例を参照しながら説明されてきたが、それらは単なる例示に過ぎず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。発明の理解を促すため具体的な数式を用いて説明がなされたが、特に断りのない限り、それらの数式は単なる一例に過ぎず適切な如何なる数式が使用されてもよい。実施例中の項目の区分けは本発明に本質的ではなく、２以上の項目に記載された事項が必要に応じて組み合わせて使用されてよいし、或る項目に記載された事項が、別の項目に記載された事項に（矛盾しない限り）適用されてよい。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が本発明に包含される。
【００７１】
以下、本発明により教示される手段を例示的に列挙する。
【００７２】
（第１項）
アプリケーション動作時に電磁雑音影響を受ける周波数帯（バンド,チャネル）とそれぞれの影響レベルのリストを有するメモリを具備し、アプリケーション起動トリガに応じて電磁雑音影響を受けない周波数帯を通信に使用する装置。
【００７３】
（第２項）
第１項の装置において、リスト中に該当する被干渉周波数の使用を検出する機能を有し、干渉を受ける周波数が使用される場合にのみアプリケーション起動の監視を行う、装置。
【００７４】
（第３項）
第２項の装置において、リスト中に該当する被干渉周波数を使用している場合に信号品質を監視する機能を有し、電磁雑音の影響を受けた信号品質が閾値より悪い場合にのみアプリケーション起動の監視を行う、装置。
【００７５】
（第４項）
第３項の装置において、リスト中の被干渉周波数を使用している場合であって、通信品質が悪い状況においてアプリケーション起動のトリガを監視する機能を有し、アプリケーション起動トリガの発生に伴って、当該アプリケーション起動後の通信品質をリストを用いて計算する、装置
（第５項）
第４項において計算するアプリケーション起動後の想定通信品質が、通信に問題が生じるレベルか否かを判定し、問題となる場合にのみ、アプリケーション起動前にNWへ報告を行う、装置。
【００７６】
（第６項）
アプリケーション起動による想定通信品質が低く、NWへそのまま報告した場合、接続が切断されてしまうおそれがある場合、想定通信品質を、周波数遷移を促す通信品質（周波数サーチを開始する閾値の品質）に留めてNWへ報告する、装置。
【００７７】
（第７項）
想定通信品質が、アプリケーション起動後に通信の切断が予想される品質であった場合、NWへ周波数の遷移を促す報告をした後、周波数の移行後にアプリケーションの起動を完了する、装置。
【００７８】
（第８項）
リスト作成時、アンテナ経由の電磁雑音影響を含めた評価を行うため、無線によるアプリケーション起動前後の通信品質評価を行う、装置。
【００７９】
（第９項）
リストに規定されるアプリケーションは、個々のアプリケーションだけではなく、同時使用が想定される複数のアプリケーションの組み合わせが起動された時の影響も評価される、装置。
【００８０】
（第１０項）
第４項の装置において、導出したアプリケーション起動後に想定される想定通信品質を、NWへ報告する機能を備えた装置。
【００８１】
（第１１項）
第５項の装置において、移動無線端末から報告される想定通信品質データを受信する機能を有し、当該想定通信品質データを用いて、割り当てる周波数を選択するNW装置。
【符号の説明】
【００８２】
１１  リスト格納メモリ部
１２  利用周波数及び信号品質検出部
１３  アプリケーション起動トリガ検出部
１４  想定通信品質計算部
１５  ネットワーク（NW）報告部
２１  想定通信品質受信部
２２  割り当て周波数選択部
【図１】
0005400629.tif 000002
【図２】
0005400629.tif 000003
【図３】
0005400629.tif 000004
【図４】
0005400629.tif 000005
【図５】
0005400629.tif 000006
【図６】
0005400629.tif 000007
【図７】
0005400629.tif 000008